(57)【要約】【課題】竿杆に対するリールの取付脚部の取り付けガタ、特に竿杆の軸長方向と直交する方向のガタ付きを防止してリールを竿杆に確実に固定できるリール脚固定装置の提供を目的としている。【解決手段】本発明の一実施形態に係るリール脚固定装置１では、移動フード６が螺合するシート本体４の細径部４ｂに、リールの取付脚部の他方側端部５ｂの幅よりも広い幅を有して他方側端部５ｂを受け入れるスリット８０が設けられるとともに、シート本体４の細径部４ｂの内周面両側側壁部が移動フード６側から固定フード１０側へと肉厚が増加する領域（肉付け部５０）を有している。そのため、前記領域の介在によって細径部４ｂと竿杆２との間に形成される隙間Ｓの存在に起因して、細径部４ｂを移動フード６の締め付け力により縮径させることができ、それにより、スリット８０内において他方側端部５ｂを横方向で細径部４ｂ（切り欠き端面７２）により挟持できる。【選択図】図４
2008295387.tif 000002
【特許請求の範囲】
【請求項１】
竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、
前記移動フードが螺合する前記筒状リールシート本体の螺合部には、リールの取付脚部の前記他方側端部の幅よりも広い幅を有して当該他方側端部を受け入れるスリットが設けられ、
前記筒状リールシート本体の前記螺合部の内周面両側側壁部は、前記移動フード側から前記固定フード側へと肉厚が増加する領域を有していることを特徴とするリール脚固定装置。
【請求項２】
竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、
前記移動フードが螺合する前記筒状リールシート本体の螺合部には、リールの取付脚部の前記他方側端部の幅よりも広い幅を有して当該他方側端部を受け入れるスリットが設けられ、
前記筒状リールシート本体の前記螺合部の内周面両側側壁部には、前記移動フード側から前記固定フード側へと徐々に高くなる突起が延設されていることを特徴とするリール脚固定装置。
【請求項３】
竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、
前記移動フードが螺合する前記筒状リールシート本体の螺合部には、リールの取付脚部の前記他方側端部の幅よりも広い幅を有して当該他方側端部を受け入れるスリットが設けられ、
前記螺合部は、前記移動フードと螺合するその外周面のねじの谷部深さが移動フード側から固定フード側に向かって徐々に浅くなる領域または前記ねじの山部高さが移動フード側から固定フード側に向かって徐々に高くなる領域を有していることを特徴とするリール脚固定装置。
【発明の詳細な説明】
【技術分野】
【０００１】
本発明は、釣竿に用いるリール脚固定装置に関する。
【背景技術】
【０００２】
一般に、釣竿（竿杆）に魚釣用リールを取付けるリール脚固定装置は、リールの取付脚部を載置するリール脚載置面をシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、かつ、一方がリール脚載置面に対して移動し、所要位置に固定可能な移動フードとして形成され、これらの一対のフード間に取付脚部を挟持させることにより、リールを釣竿に装着する。このようなリール脚固定装置には、レバーの起伏操作によって移動フードを移動および固定するレバー式のもの、あるいは、ナット部材の締付け動作によって移動フードを移動および固定するナット式のもの等、従来から様々なタイプのものが知られている。また、そのようなリール脚固定装置の中には、竿杆の軸長方向でその取り付け位置を自在に調整できるものも知られている（例えば、特許文献１参照）。更に、リール脚載置面に関しても、リング状あるいは板状等の各種の形状でシート本体に設けられたものや、竿杆自体をリール脚載置面としたものなど、様々な形態のものが知られている。
【特許文献１】特開昭５０−１２１０９１号公報
【発明の開示】
【発明が解決しようとする課題】
【０００３】
ところで、軸長方向に移動可能なリール脚固定装置では、一対のフードによりリールの取付脚部をリール脚載置面へと押圧する方向に圧着力が働く。言い換えると、リール脚固定装置によるリール取付脚部の固定方向は、リール取付脚部をリール脚載置面に対して押し付ける一方向のみである。そのため、固定力が不足するとともに、時としてリールの取付脚部が横方向（竿杆の軸長方向と直交する方向）にガタ付き易い。
【０００４】
本発明は、前記事情に着目してなされたものであり、その目的とするところは、取り付け位置を軸長方向で調整できるとともに、竿杆に対するリールの取付脚部の取り付けガタ、特に竿杆の軸長方向と直交する方向のガタ付きを防止してリールを竿杆に確実に固定できるリール脚固定装置を提供することにある。
【課題を解決するための手段】
【０００５】
前記課題を解決するために、本発明の第１の態様では、竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、前記移動フードが螺合する前記筒状リールシート本体の螺合部には、リールの取付脚部の前記他方側端部の幅よりも広い幅を有して当該他方側端部を受け入れるスリットが設けられ、前記筒状リールシート本体の前記螺合部の内周面両側側壁部は、前記移動フード側から前記固定フード側へと肉厚が増加する領域を有していることを特徴とするリール脚固定装置が提供される。
【０００６】
また、本発明の第２の態様では、竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、前記移動フードが螺合する前記筒状リールシート本体の螺合部には、リールの取付脚部の前記他方側端部の幅よりも広い幅を有して当該他方側端部を受け入れるスリットが設けられ、前記筒状リールシート本体の前記螺合部の内周面両側側壁部には、前記移動フード側から前記固定フード側へと徐々に高くなる突起が延設されていることを特徴とするリール脚固定装置が提供される。
【０００７】
更に、本発明の第３の態様では、竿杆の軸長方向に取り付け位置が調整可能で且つリールの取付脚部の一方側端部を受け入れ固定する固定フードを有する筒状リールシート本体と、この筒状リールシート本体に螺合してその軸長方向に移動できるとともにリールの取付脚部の他方側端部を受け入れ固定する移動フードとを有するリール脚固定装置であって、前記移動フードが螺合する前記筒状リールシート本体の螺合部には、リールの取付脚部の前記他方側端部の幅よりも広い幅を有して当該他方側端部を受け入れるスリットが設けられ、前記螺合部は、前記移動フードと螺合するその外周面のねじの谷部深さが移動フード側から固定フード側に向かって徐々に浅くなる領域または前記ねじの山部高さが移動フード側から固定フード側に向かって徐々に高くなる領域を有していることを特徴とするリール脚固定装置が提供される。
【発明の効果】
【０００８】
本発明のリール脚固定装置によれば、取り付け位置を軸長方向で調整できるとともに、竿杆に対するリールの取付脚部の取り付けガタ、特に竿杆の軸長方向と直交する方向のガタ付きを防止してリールを竿杆に確実に固定できる。
【発明を実施するための最良の形態】
【０００９】
以下、図面を参照しながら、本発明の一実施形態に係る釣竿のリール脚固定装置について説明する。
【００１０】
図１に示されるように、リール脚固定装置としてのリールシート１は釣竿の竿杆２の手元部に設けられている。リールシート１は内部に竿杆２が貫通して装着されるようにしたナイロン、ＡＢＳ等の硬質な合成樹脂からなる略筒状（パイプ状）のシート本体４と、このシート本体４の竿先側の外周に装着され且つシート本体４の軸長方向に沿って移動可能な移動フード６とを備えて構成されている。この場合、移動フード６は、シート本体４に螺着されるナット部材として構成されている。
【００１１】
なお、後述するが、リールシート１（シート本体４）は、竿杆２に対してその軸長方向に摺動自在に装着されており、軸長方向に沿う所望の位置で移動フード６をシート本体４に対して締め付けることにより、竿杆２に対して固定されるようになっている。すなわち、本実施形態のリールシート１は、竿杆２の軸長方向でその取り付け位置を自在に調整できるようになっている。
【００１２】
シート本体４の手元側部分には両軸リールなどの魚釣用リールＲにおける取付脚部の一方側端部５ａを受けてこれを係止させる（より正確には、取付脚部の一方側端部５ａの傾斜面９０を押圧して係止させる）第１の係止部としての固定フード１０が形成されている。この固定フード１０は魚釣用リールにおける取付脚部の一方側端部５ａが挿入される空間を有し、この空間の前面には前記取付脚部の一方側端部５ａを導入するための開口１２が形成されている。
【００１３】
また、シート本体４には、リールＲの取付脚部（５ａ，５ｂ）を受け入れるための切り欠き３５が形成されており、この切り欠き３５を通じて竿杆２が露出されている。また、切り欠き３５を通じて露出する竿杆２の露出部位は、リールＲの取付脚部を載置するためのリール脚載置部１４を形成している。
【００１４】
また、シート本体４は、固定フード１０を形成する手元側の太径部４ａと移動フード６が摺動自在に螺合する先端側の細径部（螺合部）４ｂとを有しているが、細径部４ｂの外周面には移動フード６の内周面に形成された雌ネジが螺合する雄ネジ２２が形成されている。また、細径部４ｂには、これをその長手方向にわたって所定幅で切り欠いて形成されるスリット８０（図２参照）が設けられている。このスリット８０は、釣用リールＲにおける取付脚部の他方側端部５ｂを受け入れるべく他方側端部５ｂの幅よりも広い幅を有して形成されるとともに、細径部４ｂの軸長方向の途中で終端している。
【００１５】
一方、移動フード６は、釣用リールＲにおける取付脚部の他方側端部５ｂを受けてこれを係止させる（より正確には、取付脚部の他方側端部５ｂの傾斜面９２を押圧して係止させる）第２の係止部を有している。具体的に、本実施形態において、この第２の係止部は、シート本体４の細径部４ｂに形成されたスリット８０を通じてシート本体４から露出する竿杆２の露出部位２ａ（図２参照）と移動フード６の内周面との間に形成される間隙ｓ（図１参照）によって形成されている。
【００１６】
また、本実施形態において、シート本体４の細径部４ｂの内周面の一部には、細径部４ｂの肉厚を増大させるように竿杆２に向かって膨出する肉付け部５０が形成されている。本実施形態において、肉付け部５０は、細径部４ｂの内周面の両側（内周面両側側壁部）、具体的にはスリット８０の幅方向の中心に対してほぼ左右対称に（互いに周方向に略１８０度の角度を隔てて）一対設けられており、竿杆２と細径部４ｂとの間に挟みこまれた状態で位置されている。したがって、肉付け部５０の両側には、移動フード６が細径部４ｂを締め付けていない図４の状態で、竿杆２と細径部４ｂとの間に所定の隙間Ｓが形成される。
【００１７】
また、肉付け部５０は、図３に示されるように、シート本体４の細径部４ｂの先端側から固定フード１０側に向かって（移動フード６側から固定フード１０側に向かって）次第に肉厚が増大するように形成されている（肉厚が増大する領域として形成されている）。
【００１８】
次に、上記構成のリールシート１を用いて、魚釣用リールＲを釣竿(竿杆２)に装着する方法について説明する。
【００１９】
まず、リールシート１を竿杆２の軸長方向に沿う所望の位置に位置決めし、その状態で、魚釣用リールＲの取付脚部をリール脚載置部１４上に位置決め載置すると共に、取付脚部の一方側端部５ａを固定フード１０に挿入して係止させる。ここで、図４に示されるように、移動フード６が細径部４ｂを締め付けていない状態では、肉付け部５０の両側において竿杆２と細径部４ｂとの間に所定の隙間Ｓが形成されている。また、スリット８０内に位置された釣用リールＲの取付脚部の他方側端部５ｂとシート本体４の細径部４ｂの両側の切り欠き端面７２との間にはスリット８０の幅に対応して隙間ｙが形成されている。
【００２０】
続いて、この状態から、移動フード６を締付け方向に回転操作して固定フード１０に近づけるように手元側（竿元側）へ移動させる。この時、図５に示されるように、移動フード６による径方向内側への締め付け力により隙間Ｓの存在に起因して細径部４ｂが径方向内側に縮径するように変形されるとともに、細径部４ｂが両側から竿杆２を径方向内側に押圧し、それにより、隙間Ｓが埋められるとともに、隙間ｙが狭められ、細径部４ｂの両側の切り欠き端面７２が釣用リールＲの取付脚部の他方側端部５ｂの側面に当て付くようになる（図５参照）。また、この移動フード６による細径部４ｂの締め込み時には、移動フード６の締め込み量に応じて、細径部４ｂが竿杆２を径方向内側に押圧する押圧力が次第に強くなる。これは、肉付け部５０が、図３に示されるように、移動フード６側から固定フード１０側に向かって次第に肉厚が増大するように形成されているからである。
【００２１】
更に移動フード６を締め付け方向に移動させると、釣用リールＲの取付脚部の斜面９０，９２を介したリール脚載置面１４側への押圧力により、取付脚部がリールシート１の移動フード６と固定フード１０の間で軸長方向にきつく挟持されるとともに横方向（軸長方向と直交する方向）においても切り欠き端面７２間で強固に保持される。また、このような移動フード６による細径部４ｂの締め付けにより細径部４ｂが竿杆２の外周に圧着し、リールシート１が竿杆２に対して固定される。
【００２２】
以上説明したように、上記構成によれば、移動フード６が螺合する筒状リールシート本体４の細径部（螺合部）４ｂに、リールの取付脚部の他方側端部５ｂの幅よりも広い幅を有して他方側端部５ｂを受け入れるスリット８０が設けられるとともに、筒状リールシート本体４の細径部４ｂの内周面両側側壁部が移動フード６側から固定フード１０側へと肉厚が増加する領域（肉付け部５０・・・細径部４ｂと竿杆２との間に介在して細径部４ｂの縮径を可能にする部分）を有しているため、当該領域の介在によって細径部４ｂと竿杆２との間に形成される隙間Ｓの存在に起因して、細径部４ｂを移動フード６の締め付け力により径方向内側に縮径させることができ、それにより、スリット８０内においてリールの取付脚部の他方側端部５ｂを横方向（竿杆２の軸長方向と直交する方向）で細径部４ｂ（切り欠き端面７２）により挟持することができる。すなわち、竿杆２に対するリールの取付脚部の取り付けガタ、特に竿杆２の軸長方向と直交する方向のガタ付きを防止してリールを竿杆２に確実に固定できるようになる。
【００２３】
また、上記構成では、リールシート１が竿杆２に対して摺動自在であるとともに、移動フード６による細径部４ｂの締め付けにより細径部４ｂおよびリールの取付脚部が竿杆２の外周に圧着して、リールシート１が竿杆２に対して固定されるようになっている。すなわち、本実施形態のリールシート１は、竿杆２の軸長方向でその取り付け位置を自在に調整できる。
【００２４】
また、上記構成では、細径部４ｂに設けられたスリット８０が細径部４ｂの軸長方向の途中で終端しているが、このようなスリット８０の形成形態は幾つかの利点を有している。すなわち、第１に、細径部４ｂの全長にわたってスリット８０が完全に貫いて形成されていると、移動フード６による細径部４ｂの締め付けにより細径部４ｂが大きく撓むようになり竿杆２に対するリールシート１の固定強度が低下してしまうが、本実施形態のようにスリット８０が細径部４ｂの軸長方向の途中で終端していれば細径部４ｂを大きく撓ませることなく竿杆２に対する固定強度を大きく確保できる。また、第２に、細径部４ｂの全長にわたってスリット８０が完全に貫いて形成されていると、細径部４ｂが大きく撓み易いことから、移動フード６を締め付け方向に移動させるにつれて肉付け部５０の肉厚変動も手伝って移動フード６の軸長方向で細径部４ｂの縮径度合が一定しなくなり、したがって、細径部４ｂの雄ネジ２２と移動フード６との螺合度合いも移動フード６の軸長方向で一定しなくなる（ネジとびが発生してしまう）。そのため、細径部４ｂと移動フード６との安定した嵌合力が得られなくなる。しかしながら、本実施形態の構成では、スリット８０が細径部４ｂの軸長方向の途中で終端しているため、そのような問題は発生せず、細径部４ｂと移動フード６との安定した嵌合力を得て、竿杆２に対するリールシート１およびリール取付脚部の固定強度を十分に得ることができる。第３に、スリット８０が細径部４ｂの軸長方向の途中で終端していれば、リールシート１の竿杆２に対する軸長方向の移動がスムーズになる。すなわち、通常、このような移動可能なリールシート１が装着される竿杆２の外面は、握持部領域であることから、コルク、ＥＶＡ、ゴム製被覆チューブなどで形成されており、そのため、スリット８０が長ければ長いほどスリット８０の切り欠き部分が摩擦を生んでリールシート１の円滑な摺動を妨げる虞がある。したがって、本実施形態のようにスリット８０が細径部４ｂの軸長方向の途中で終端していれば、リールシート１の摺動抵抗を極力抑えて円滑な動きを実現できるようになる。
【００２５】
図６および図７には肉付け部の変形例が示されている。図示のように、この変形例における肉付け部は複数のリブ（突起）６５として設けられている。具体的には、細径部４ｂの内周面の両側に、スリット８０に対して一方側と他方側とに分かれて、複数のリブ６５が形成されている。したがって、図７に示されるように、リブ６５の両側には、移動フード６が細径部４ｂを締め付けていない状態で、竿杆２と細径部４ｂとの間に所定の隙間Ｓが形成される。また、特に本変形例では、各側にそれぞれ複数（図では３個ずつ）のリブ６５が設けられており、各リブ６５は、その高さが細径部４ｂの先端側から固定フード１０側に向かって（移動フード６側から固定フード１０側に向かって）次第に高くなるように形成されている。
【００２６】
したがって、このような構成によっても先の実施形態と同様の作用効果が得られることは言うまでもないが、特に、本構成にあっては、前述した実施形態のように肉付け部が細径部４ｂの内周面に沿って所定の長さで連続的に延在するのではなく局所的に点在して設けられ、細径部４ｂの周方向にわたって隙間Ｓが分配されているため、移動フード６による締め付けにより細径部４ｂをほぼ全周にわたって全体的に縮径させることができ、したがって、竿杆２に対するリールシート１の固定強度およびリールの取付脚部の固定強度を更に高めることができる。
【００２７】
なお、本発明は、前述した実施形態に限定されず、その要旨を変更しない範囲で種々変形して実施できることは言うまでもない。例えば、前述した実施形態および変形例では、肉付け部（５０，６５）がシート本体４の細径部４ｂ側に設けられているが、竿杆２側に設けられていても良い。また、前述した実施形態では、移動フード６による径方向内側への締め付け力により隙間ｙが狭められて細径部４ｂの両側の切り欠き端面７２が釣用リールＲの取付脚部の他方側端部５ｂの側面に当て付くようになっているが、最終的な移動フード６の締め付けによって切り欠き端面７２が釣用リールＲ他方側端部５ｂの側面に完全に当てつかなくても或いは若干の隙間を残していても構わない。そのような場合でも、隙間ｙが狭められることによりリールの取付脚部の横方向（竿杆２の軸長方向と直交する方向）のガタを抑制することができる。また、前述した実施形態および変形例では、シート本体４の細径部４ｂの内周面に肉付け部を設けているが、細径部４ｂを径方向内側に変形させることができる（スリット８０の幅を狭めることができる）隙間が竿杆２とシート本体４の細径部４ｂとの間に確保されてさえいれば、細径部４ｂを径方向内側に変形させるための作用部が細径部４ｂの外周面に設けられていても構わない。そのような実施例としては、例えば、細径部４ｂの外周面に形成される雄ネジ２２の谷部深さが移動フード６側から固定フード１０側に向かって徐々に浅くなるような領域を細径部４ｂに設けたり、あるいは、雄ネジ２２の山部高さが移動フード６側から固定フード１０側に向かって徐々に高くなるような領域を細径部４ｂに設けることが考えられる。そのような構成でも前述した実施形態と同様の作用効果を得ることができる。
【図面の簡単な説明】
【００２８】
【図１】本発明の一実施形態に係るリール脚固定装置の側面図である。
【図２】図１のリール脚固定装置の移動フードを取り外した状態における平面図である。
【図３】図１のリール脚固定装置のシート本体の細径部の雄ネジにおける側断面図である。
【図４】リールをリール脚載置面上に載置した状態におけるシート本体の細径部の縦断面図である。
【図５】図４の状態からシート本体の細径部に移動フードを螺合して締め付けた状態を示す縦断面図である。
【図６】リール脚固定装置の変形例に係る一部断面を含む側面図である。
【図７】図６のリール脚固定装置の図４に対応する縦断面図である。
【符号の説明】
【００２９】
１  リールシート（リール脚固定装置）
２  竿杆
４  シート本体（筒状リールシート本体）
４ｂ  細径部（螺合部）
５ａ，５ｂ  リールの取付脚部の端部
６  移動フード
１０  固定フード
２２  雄ネジ
５０  肉付け部（領域）
６５  リブ（突起）
８０  スリット
Ｒ  リール
【図１】
2008295387.tif 000003
【図２】
2008295387.tif 000004
【図３】
2008295387.tif 000005
【図４】
2008295387.tif 000006
【図５】
2008295387.tif 000007
【図６】
2008295387.tif 000008
【図７】
2008295387.tif 000009